【手続補正書】
【提出日】平成17年4月14日(2005.4.14)
【手続補正１】
【補正対象書類名】特許請求の範囲
【補正対象項目名】全文
【補正方法】変更
【補正の内容】
【特許請求の範囲】
【請求項１】
成形−充填−密封包装機械で材料ウェブをセンタリングするインラインウェブセンタリング装置であって、該装置は、以下：
支持部材であって、該成形−充填−密封包装機の内部無菌環境にて、該包装機に固定されている、支持部材；および
トラッキングアセンブリであって、該トラッキングアセンブリは、該成形−充填−密封包装機の該無菌環境にて、該支持部材に取り付けられ、該トラッキングアセンブリは、係合部材および接触部材を有し、該接触部材は、該結合部材に接続され、該接触部材は、該材料ウェブと接触するように適合され、ここで、該トラッキングアセンブリは、該支持部材の周りで旋回し、ここで、該トラッキングアセンブリは、該支持部材に対して一定角度で位置付けられ、ここで、該トラッキングアセンブリの該角度は、該トラッキングアセンブリが該支持部材の周りで旋回するとき、変えられ、該トラッキングアセンブリの該角度の該変化は、該材料ウェブの流路を調整する、トラッキングアセンブリ、
を備える、装置。
【請求項２】
前記支持部材または前記トラッキングアセンブリのいずれか一方が、それから垂れ下がっているシャフト部材を有し、そして該支持部材または該トラッキングアセンブリのいずれかの他方が、該シャフト部材に対して係合レセプタクルを有する、請求項１に記載のウェブセンタリング装置。
【請求項３】
前記シャフト部材が、前記係合レセプタクルに設置され、ここで、該シャフト部材が、該係合レセプタクル内で旋回し、このような旋回が、前記トラッキングアセンブリの角変位を生じる、請求項２に記載のウェブセンタリング装置。
【請求項４】
前記シャフト部材および前記レセプタクルの各々の係合面が、前記成形−充填−密封包装機の前記無菌環境から密封されている、請求項１に記載のウェブセンタリング装置。
【請求項５】
前記トラッキングアセンブリが、該成形−充填−密封包装機の該無菌環境で、該支持部材に旋回可能に取り付けられ、ここで、該支持部材と該トラッキングアセンブリとの間の旋回係合面が、該成形−充填−密封包装機の該無菌環境から密封されている、請求項１に記載のウェブセンタリング装置。
【請求項６】
整列機構をさらに含み、該整列機構が、前記トラッキングアセンブリに接続され、該整列機構が、第一調整部材および噛み合い第二調整部材を含み、該噛み合い第二調整部材が、該トラッキングアセンブリに固定され、ここで、該第一および第二調整部材が、該トラッキングアセンブリを旋回するように協働する、請求項１に記載のウェブセンタリング装置。
【請求項７】
前記整列機構が、オペレーターシャフトをさらに含み、該オペレーターシャフトが、前記第一調整部材に接続され、該オペレーターシャフトが、該第一調整部材の運動を制御する、請求項６に記載のウェブセンタリング装置。
【請求項８】
前記第一調整部材が、オペレーターシャフトに接続されたウォーム歯車を含み、そして前記第二調整部材が、前記トラッキングアセンブリに固定された噛み合い平歯車を含み、ここで、該平歯車が、前記支持部材の周りでの該トラッキングアセンブリの旋回回転を達成するように、該ウォーム歯車で駆動される、請求項７に記載のウェブセンタリング装置。
【請求項９】
前記支持部材が、前記成形−充填−密封包装機の内部無菌環境にて、該包装機に固定され、ここで、該トラッキングアセンブリが、該成形−充填−密封包装機の該無菌環境にて、該支持部材に旋回可能に取り付けられ、ここで、前記整列機構が、該トラッキングアセンブリに固定され、そして該成形−充填−密封包装機の該無菌環境内に含まれ、ここで、該支持部材と該トラッキングアセンブリとの間の旋回係合面が、該成形−充填−密封包装機の該無菌環境から密封されている、請求項７に記載のウェブセンタリング装置。
【請求項１０】
制御装置をさらに含み、該制御装置が、前記整列機構に取り外し可能に接続され、該制御装置が、前記オペレーターシャフトに係合して、オペレーターが該オペレーターシャフトを回転できるようにする、請求項９に記載のウェブセンタリング装置。
【請求項１１】
前記接触部材が、シャフトおよびローラーを含み、該シャフトが、前記係合部材に固定され、そして該ローラーが、該シャフトの周りで回転できる、請求項１に記載のウェブセンタリング装置。
【請求項１２】
第一接触部材および第二接触部材をさらに含み、該第一接触部材が、前記係合部材の第一末端に隣接して、該係合部材に接続され、そして該第二接触部材が、該係合部材の第二末端に隣接して、該係合部材に接続され、ここで、該第一および第二接触部材が、前記トラッキングアセンブリを旋回したとき、前記支持部材の周りで同時に旋回する、請求項１に記載のウェブセンタリング装置。
【請求項１３】
成形−充填−密封包装機の内部無菌環境にて材料ウェブを追跡する装置であって、該装置は、以下：
支持部材、トラッキングアセンブリおよび整列機構であって、該トラッキングアセンブリは、係合部材から垂れ下がっている接触部材を有し、該接触部材は、該材料ウェブと接触するように適合され、ここで、該トラッキングアセンブリは、該支持部材に対して回転可能に接続され、ここで、該支持部材または該トラッキングアセンブリのいずれか一方は、それから垂れ下がっている第一回転部材を有し、そして該支持部材または該トラッキングアセンブリのいずれかの他方は、係合レセプタクルを有し、該第一回転部材は、該レセプタクルと連絡してその中で回転し、ここで、該第一回転部材と該レセプタクルとの間の係合面の一部が、該成形−充填−密封包装機の該内部無菌環境から密封され、ここで、該整列機構は、該トラッキングアセンブリに接続されて、該支持部材と該トラッキングアセンブリとの間の回転角度を制御する、支持部材、トラッキングアセンブリおよび整列機構、
を備える装置。
【請求項１４】
前記第一回転部材が、旋回シャフトをさらに含み、該旋回シャフトが、前記トラッキングアセンブリの前記係合部材から垂れ下がっており、ここで、該旋回シャフトが、前記支持部材の前記レセプタクルの開口部に設置されている、請求項１３に記載のウェブトラッキング装置。
【請求項１５】
前記旋回シャフトが、保持具で、前記支持部材に垂直に固定されている、請求項１４に記載のウェブトラッキング装置。
【請求項１６】
第一ガスケットが、前記係合部材と前記支持部材との間で伸長しており、該レセプタクルの第一末端を密封する、請求項１４に記載のウェブトラッキング装置。
【請求項１７】
前記支持部材とカバーとの間に、第二ガスケット部材をさらに含み、該第二ガスケット部材が、前記レセプタクルの第二末端を密封する、請求項１６に記載のウェブトラッキング装置。
【請求項１８】
第一ギア部材、第二ギア部材および操作シャフトをさらに含み、該第二ギア部材が、該第一ギア部材と噛み合い、ここで、該第一ギア部材が、前記オペレーターシャフトに接続され、そして該オペレータシャフトの回転により操縦され、ここで、該第二ギア部材が、前記トラッキングアセンブリに接続され、そして該第一ギア部材により操縦され、該第二ギア部材の操縦により、該トラッキングアセンブリの回転を引き起こす、請求項１３に記載のウェブトラッキング装置。
【請求項１９】
前記第一ギア部材が、ウォーム歯車であり、そして前記第二ギア部材が、部分平歯車であり、少なくとも１００：１の比である、請求項１８に記載のウェブトラッキング装置。
【請求項２０】
前記係合部材から垂れ下がっているローラー支持体をさらに含み、該支持体が、該係合部材に該ローラー部材を固定する、請求項１３に記載のウェブトラッキング装置。
【請求項２１】
バッグを形成し充填し密封するための内部無菌領域を有する成形−充填−密封包装機用のトラッキング機構であって、該トラッキング機構は、該成形−充填−密封包装機の成形具アセンブリの上流にある該無菌領域で設けられ、該トラッキング機構は、以下：
トラッキング部材であって、該トラッキング部材は、支持部材に回転可能に接続され、ここで、該支持部材または該トラッキング部材のいずれか一方は、第一回転部材を有し、そして該支持部材または該トラッキング部材のいずれかの他方は、係合レセプタクルを有し、該トラッキング部材は、該成形−充填−密封包装機の該内部無菌領域内で、該支持部材に対して、特定回転角の周りで回転でき、ここで、該第一回転部材と該噛み合いレセプタクルとの間の噛み合い領域は、該成形−充填−密封包装機の該無菌領域から密封されている、トラッキング部材、
を備える、機構。
【請求項２２】
前記第一回転部材が、前記トラッキング部材の底部から垂れ下がり、該第一回転部材が、前記噛み合いレセプタクルと係合し、該第一回転部材が、そこに固定された保持具を有し、該第一回転部材が該噛み合いレセプタクルから解除されるのを防止し、そして該第一回転部材が、該噛み合いレセプタクル内で回転できる、請求項２１に記載のトラッキング機構。
【請求項２３】
前記トラッキング機構と前記支持部材との間に、第一シーラーをさらに含み、該第一シーラーが、前記噛み合いレセプタクルの第一末端から、前記成形−充填−密封包装機の前記無菌環境に仕切をする、請求項２２に記載のトラッキング機構。
【請求項２４】
前記噛み合いレセプタクルの前記第一末端の密封が、前記成形−充填−密封包装機の前記無菌環境内でそこから離れた密封領域を作り出す、請求項２３に記載のトラッキング機構。
【請求項２５】
前記噛み合いレセプタクルの第二末端に隣接して、第二シーラーをさらに含み、該第二シーラーが、前記噛み合いレセプタクルの第二末端から、前記成形−充填−密封包装機の前記無菌環境に仕切をする、請求項２２に記載のトラッキング機構。
【請求項２６】
整列機構をさらに含み、該整列機構が、第一整列機構、第二整列機構、および該第一整列機構を操縦する手段を含み、該第二整列機構が、前記トラッキング部材の１点で固定され、そして他の点で該第一整列機構と噛み合い、該整列機構が、前記成形−充填−密封包装機の前記無菌領域内に含まれ、そして該整列機構が、さらに、該成形−充填−密封包装機の該無菌領域の外側に位置している制御装置に取り外し可能に確保され、そこから密封されている、請求項２１に記載のトラッキング機構。
【請求項２７】
内部無菌領域を有する包装機であって、該包装機は、成形具、充填材、およびシーラーを有し、該成形具は、材料ウェブからバッグを形成し、該充填材は、該バッグに物質を充填し、そして該シーラーは、該バッグを密封して、該物質を該バッグ内に封入し、該成形具、該充填材および該シーラーの各々は、該包装機の該内部無菌領域内に位置しており、該包装機は、さらに、以下：
トラッキング機構であって、該トラッキング機構は、該包装機の該内部無菌領域で該成形具のすぐ上流に位置しており、該トラッキング機構は、該材料ウェブに接触し、そして該包装機の該無菌領域内で旋回し、該トラッキング機構は、該トラッキング機構の該旋回を制御する外部制御ユニットに接続され、ここで、該トラッキング機構の該旋回は、該トラッキング機構と該材料ウェブとの間の接触角を変えて、該成形具に入る該材料ウェブをセンタリングする、トラッキング機構、
を備える、包装機。
【請求項２８】
前記トラッキング機構が、実質的に、前記包装機の中心線の周りで旋回し、該中心線が、前記成形具に給送される前記材料ウェブの中心線に近づく、請求項２７に記載の包装機。